(57)【要約】      （修正有）【課題】竹に対して過剰な加工を施すことなく製造可能で、竹自体が持つ特性が活かされた化粧壁材を提供する。【解決手段】化粧壁材は、複数の素竹３と、支持体５と、複数の割竹７とを備える。複数の素竹は、それぞれの長手方向が同一方向に向けられて、長手方向に直交する方向へ配列され、配列方向及び長手方向の双方に直交する方向に向けて化粧面が構成される。支持体は、複数の素竹によって化粧面が構成される状態で、複数の素竹を支持し、複数の素竹との間に内部空間を構成し、複数の割竹が、内部空間に配置される。【選択図】図２
0003204194.tif 000002
【実用新案登録請求の範囲】
【請求項１】
それぞれの長手方向が同一方向に向けられて、前記長手方向に直交する方向へ配列されることにより、その配列方向及び前記長手方向の双方に直交する方向に向けられた化粧面が構成されるように配置された複数の素竹と、
前記複数の素竹によって前記化粧面が構成される状態で、前記複数の素竹を支持しており、前記複数の素竹との間には内部空間を構成する支持体と、
前記内部空間に配置された複数の割竹と
を備える化粧壁材。
【請求項２】
請求項１に記載された化粧壁材であって、
前記支持体は、
それぞれの長手方向が前記素竹の長手方向と同一方向に向けられて、互いの間には前記素竹の配列方向に間隔を空けて配置されて、前記間隔に相当する領域に前記素竹が配列されることにより、前記素竹とともに前記化粧面を構成する二以上の人工竹と、
前記人工竹が前記化粧面の裏側となる箇所において固定されて、前記人工竹を支持する基部と、
前記素竹及び前記人工竹を前記素竹及び前記人工竹の配列方向に貫通する軸部材と、
前記軸部材の両端部それぞれに設けられ、前記二以上の人口竹のうち、前記素竹及び前記人工竹の配列方向の両端にある前記人工竹に接触することにより、前記軸部材が前記素竹及び前記人工竹の配列方向へ変位するのを抑制するストッパーと
を備える化粧壁材。
【請求項３】
請求項２に記載された化粧壁材であって、
前記軸部材は、両端部の外周にねじ溝が設けられた金属軸であり、
前記ストッパーは、前記軸部材の両端部にねじ込み可能なナットによって構成されている
化粧壁材。
【請求項４】
請求項２又は請求項３に記載された化粧壁材であって、
前記人工竹は、筒状に構成された部分を有し、
前記軸部材の両端部及び前記ストッパーは、前記筒状に構成された部分の内周側にある空洞内に配置されている
化粧壁材。
【請求項５】
請求項２から請求項４までのいずれか一項に記載された化粧壁材であって、
前記基部は、
前記素竹及び前記人工竹の配列方向に延びる二以上の横臥材と、
前記素竹及び前記人工竹の長手方向に延びる二以上の垂直材と、
板厚方向が前記化粧面と同一方向に向けられた板材であり、一方の面に前記横臥材及び前記垂直材が固定された下地板と
を備え、
前記人工竹は、前記垂直材を挟んで前記下地板とは反対側となる位置において、前記垂直材に対して固定されている
化粧壁材。
【請求項６】
請求項５に記載された化粧壁材であって、
前記下地板は、耐火ボードによって構成されている
化粧壁材。
【請求項７】
請求項１から請求項６までのいずれか一項に記載された化粧壁材であって、
前記内部空間に配置されたシリカゲル
を備える化粧壁材。
【請求項８】
請求項７に記載された化粧壁材であって、
前記シリカゲルは、透湿性のある素材によって構成された包装体に収容されて、当該包装体とともに前記内部空間に配置され、
前記包装体は、前記化粧面と略平行な面に沿って配列される複数の収容室を有し、各収容室に前記シリカゲルが収容されている
化粧壁材。
【考案の詳細な説明】
【技術分野】
【０００１】
本開示は、化粧壁材に関する。
【背景技術】
【０００２】
竹を利用して構成された建材が知られている（例えば、特許文献１参照。）。特許文献１に記載の建材は、竹を原料として構成された集成材である。
【先行技術文献】
【特許文献】
【０００３】
【特許文献１】特開２００２−２１０７０９号公報
【考案の概要】
【考案が解決しようとする課題】
【０００４】
しかし、上記のような竹の集成材には、大量の接着剤が使用されている。そのため、竹の表面が接着剤を構成する合成樹脂等によって覆われてしまい、竹自体が持っている特性を有効に活用することができない、という問題がある。例えば、竹には、湿度に応じて湿気を吸収したり放出したりする調湿作用があるが、集成材に加工されてしまうと、そのような調湿作用は格段に低下してしまう。また、竹には、湿気以外にも、臭いの原因物質や有害物質などを吸着する作用があるが、集成材に加工されてしまうと、そのような吸着作用は格段に低下してしまう。
【０００５】
また、竹の集成材を加工する際には、相応の生産設備が必要になり、高額な設備投資を伴うことになる。そのため、例えば、相応に量産しないと採算が取れず、少量生産には向かない、という問題がある。また、そのようにコストがかかる加工を行えば、最終製品の価格が高騰する、という問題がある。
【０００６】
以上のような事情から、竹に対して過剰な加工を施すことなく製造可能で、竹自体が持つ特性が活かされた化粧壁材を提供することが望ましい。
【課題を解決するための手段】
【０００７】
本開示の化粧壁材は、それぞれの長手方向が同一方向に向けられて、長手方向に直交する方向へ配列されることにより、その配列方向及び長手方向の双方に直交する方向に向けられた化粧面が構成されるように配置された複数の素竹と、複数の素竹によって化粧面が構成される状態で、複数の素竹を支持しており、複数の素竹との間には内部空間を構成する支持体と、内部空間に配置された複数の割竹とを備える。
【０００８】
素竹及び割竹は、いずれも真正の竹（すなわち、植物の竹。）であり、双方とも長手方向両端がカットされて所定の長さに切り出された竹材である。ただし、素竹は、長手方向に沿って縦割りする加工は施されておらず、生育時と同様の略円筒状の外観が保たれている。一方、割竹は、長手方向に沿って縦割りする加工が施されて一本の竹が複数に分割されたものである。支持体は、複数の素竹を支持することで複数の素竹を所定の位置に保持するとともに、化粧壁材としての強度を担保するための骨格をなす部材である。
【０００９】
このように構成された化粧壁材によれば、複数の素竹によって化粧面が構成されているので、竹特有の素の美しさを呈する化粧面を構成することができ、そのような化粧面を有する壁材として使用することができる。また、割竹には、縦割り加工によって形成された断面があり、その断面には無数の細孔が存在する。そのため、割竹は、周囲の湿度に応じて湿気を吸収したり放出したりするので、調湿効果を期待することができる。さらに、割竹の表面に存在する無数の細孔には、臭いの原因物質や有害物質などが吸着されるので、空気清浄効果が発揮される。加えて、化粧壁材を製造する際には、上述のような素竹及び割竹が利用されるので、竹林の有効利用を図ることができ、自然環境の保全に貢献する効果がある。
【００１０】
なお、本開示の化粧壁材は、更に以下に挙げるような構成を備えていてもよい。まず、本開示の化粧壁材において、支持体は、それぞれの長手方向が素竹の長手方向と同一方向に向けられて、互いの間には素竹の配列方向に間隔を空けて配置されて、間隔に相当する領域に素竹が配列されることにより、素竹とともに化粧面を構成する二以上の人工竹と、人工竹が化粧面の裏側と箇所において固定されて、人工竹を支持する基部と、素竹及び人工竹を素竹及び人工竹の配列方向に貫通する軸部材と、軸部材の両端部それぞれに設けられ、二以上の人口竹のうち、素竹及び人工竹の配列方向の両端にある人工竹に接触することにより、軸部材が素竹及び人工竹の配列方向へ変位するのを抑制するストッパーとを備えてもよい。
【００１１】
人工竹は、真正の竹ではなく、プラスチック材料や金属材料などを利用して外観を竹に見せかけて人工的に製造されたものである。基部は、人工竹を支持する部分であり、人工竹を支持可能な構造になっていれば、その具体的な構造や材料は任意である。軸部材は、素竹及び人工竹を素竹及び人工竹の配列方向に貫通する棒材である。
【００１２】
このように構成された化粧壁材によれば、二以上の人口竹が基部に固定され、人工竹と人工竹の間には素竹が配列され、それら人工竹及び素竹を貫通するように軸部材が設けられる。軸部材の両端にはストッパーが設けられて、軸部材が人工竹及び素竹から抜けないように構成され、これにより、素竹が支持体に対して固定される。
【００１３】
素竹は、人工物ではないので、素竹の強度にはある程度のばらつきがある。しかし、支持体を構成する各部材は、いずれも人工物なので、化粧壁材を構成するに当たって所望の強度が確保されるように、材料、構造、各部の寸法等を任意に設計することができる。したがって、上述のような支持体で、素竹を支持すれば、化粧壁材全体としての適正な強度を確保できる。
【００１４】
また、素竹は、人工物ではないので、素竹の寸法（例えば太さ。）や形状（例えば曲がり具合。）にはある程度のばらつきがある。しかし、支持体を構成する各部材は、いずれも人工物なので、寸法安定性が高い。そのため、人工竹を両端に配置して、その間に素竹が配置されていれば、素竹自体の寸法安定性がいくらか低くても、両端にある人工竹間の寸法は設計通りの寸法にすることができる。したがって、上述のような支持体で、素竹を支持すれば、化粧壁材全体としては寸法安定性の高い製品とすることができる。
【００１５】
また、本開示の化粧壁材において、軸部材は、両端部の外周にねじ溝が設けられた金属軸であり、ストッパーは、軸部材の両端部にねじ込み可能なナットによって構成されていてもよい。
【００１６】
このように構成された化粧壁材によれば、ナットをねじ溝にねじ込むことでストッパーとして利用することができる。したがって、専用設計のストッパーを使わなくても、汎用のナットで所期のストッパーを構成することができ、化粧壁材をより容易に製造することができる。また、軸部材が金属軸とされているので、木製やプラスチック製の軸部材を採用した場合に比べ、支持体の強度を向上させることができる。
【００１７】
また、本開示の化粧壁材において、人工竹は、筒状に構成された部分を有し、軸部材の両端部及びストッパーは、筒状に構成された部分の内周側にある空洞内に配置されていてもよい。
【００１８】
このように構成された化粧壁材によれば、軸部材の両端部及びストッパーが上述のような空洞内に配置されている。そのため、軸部材の両端部及びストッパーが人工竹の外部へ突き出ているものとは異なり、化粧壁材の外観を見映えのよいものにすることができる。また、軸部材の両端部及びストッパーに外部の物体が引っ掛かるのを抑制することができる。
【００１９】
また、本開示の化粧壁材において、基部は、素竹及び人工竹の配列方向に延びる二以上の横臥材と、素竹及び人工竹の長手方向に延びる二以上の垂直材と、板厚方向が化粧面と同一方向に向けられた板材であり、一方の面に横臥材及び垂直材が固定された下地板とを備え、人工竹は、垂直材を挟んで下地板とは反対側となる位置において、垂直材に対して固定されていてもよい。
【００２０】
横臥材は、素竹及び人工竹の配列方向に延びる部材であり、その材料は限定されないが、例えば、素竹及び人工竹の配列方向に延びる木製の角材、素竹及び人工竹の配列方向に延びるアングル材、素竹及び人工竹の配列方向に延びるパイプ材などである。垂直材は、素竹及び人工竹の長手方向に延びる部材であり、その材料は限定されないが、例えば、素竹及び人工竹の長手方向に延びる木製の角材、素竹及び人工竹の長手方向に延びるアングル材、素竹及び人工竹の長手方向に延びるパイプ材などである。
【００２１】
このように構成された化粧壁材によれば、基部の構造が、横臥材及び垂直材を下地板に固定することによって構成された簡素な構造になっている。そのため、より複雑な構造のフレームを採用した場合に比べ、基部を容易に製造することができ、ひいては、化粧壁材を容易に製造することができる。
【００２２】
また、本開示の化粧壁材において、下地板は、耐火ボードによって構成されていてもよい。耐火ボードは、不燃性で耐火性のある非金属材料で構成されたボードであり、例えば、石膏ボードや繊維強化セメントボード等である。
【００２３】
このように構成された化粧壁材によれば、下地板に不燃性及び耐火性を付与することができ、化粧壁材の不燃性及び耐火性を向上させることができる。
また、本開示の化粧壁材において、内部空間に配置されたシリカゲルを備えてもよい。
【００２４】
このように構成された化粧壁材によれば、シリカゲルによって化粧壁材の吸湿性ないしは調湿性を増強することができる。
また、本開示の化粧壁材において、シリカゲルは、透湿性のある素材によって構成された包装体に収容されて、当該包装体とともに内部空間に配置され、包装体は、化粧面と略平行な面に沿って配列される複数の収容室を有し、各収容室にシリカゲルが収容されていてもよい。
【００２５】
このように構成された化粧壁材によれば、壁面を構成するために化粧壁材が立てられた場合でも、シリカゲルを化粧壁材の下端側へ落下させることなく、各収容室が設けられた位置において保持することができる。
【図面の簡単な説明】
【００２６】
【図１】図１は化粧壁材を示す正面図である。
【図２】図２は図１中にＩＩ−ＩＩ線で示した切断箇所における断面図である。
【図３】図３は支持体を示す正面図である。
【図４】図４はシリカゲルが収容された包装体及び支持体を示す正面図である。
【図５】図５は割竹及び支持体を示す正面図である。
【考案を実施するための形態】
【００２７】
次に、上述の化粧壁材について、例示的な実施形態を挙げて説明する。
［化粧壁材の構成］
化粧壁材１は、図１及び図２に示すように、複数（本実施形態の場合は１０本。）の素竹３と、支持体５と、複数（本実施形態の場合は適宜の本数。）の割竹７とを備える。素竹３及び割竹７は、いずれも真正の竹から切り出された竹材である。ただし、素竹３は、長手方向に沿って縦割りする加工は施されておらず、割竹７は、長手方向に沿って縦割りする加工が施されている。割竹７は、竹を適宜縦割りしたものであり、長手方向に直交する断面の形状及び寸法は、複数の割竹７それぞれで異なっていてもよい。素竹３は、それぞれの長手方向が上下方向に向けられて、左右方向へ配列されている。これにより、素竹３は、前方に向けられた化粧面９を構成している。
【００２８】
支持体５は、複数の素竹３によって上述の化粧面９が構成される状態で、複数の素竹３を支持している。また、支持体５は、複数の素竹３との間に内部空間１１を構成し、その内部空間１１に割竹７が配置されている。支持体５は、二以上（本実施形態の場合は３本。）の人工竹１５と、基部１７と、軸部材１９と、ストッパー２１とを備える。
【００２９】
人工竹１５は、真正の竹ではなく、プラスチック材料により外観を竹に見せかけて人工的に製造されたものである。人工竹１５は、それぞれの長手方向が上下方向に向けられて、互いの間には左右方向に間隔を空けて配置されている。人工竹１５−人工竹１５間の間隔に相当する領域には、上述の素竹３が配列され、これにより、人工竹１５は、素竹３とともに化粧面９を構成している。人工竹１５は、化粧面９の裏側となる箇所において接着剤で基部１７に固定され、基部１７によって人工竹１５が支持されている。
【００３０】
基部１７は、図２及び図３に示すように、左右方向に延びる二以上（本実施形態の場合は２本。）の横臥材２３と、上下方向に延びる二以上（本実施形態の場合は３本。）の垂直材２５と、板厚方向が前後方向に向けられた板材である下地板２７とを備える。横臥材２３及び垂直材２５は、木製の角材又は板材で、下地板２７の一方の面に接着剤で固定されている。人工竹１５は、垂直材２５を挟んで下地板２７とは反対側となる位置において、垂直材２５に対して接着剤で固定されている。下地板２７は、不燃性で耐火性のある非金属材料で構成された耐火ボード（例えば、石膏ボードや繊維強化セメントボード等。）によって構成されている。
【００３１】
軸部材１９は、図２に示すように、素竹３及び人工竹１５を左右方向に貫通し、軸部材１９の両端部それぞれにストッパー２１が取り付けられている。本実施形態の場合、軸部材１９は金属軸であり、軸部材１９の両端部外周にはねじ溝が設けられている。ストッパー２１は、軸部材１９の両端部にねじ込み可能なナットによって構成されている。ストッパー２１は、左右方向の両端にある人工竹１５に接触する位置までねじ込まれ、これにより、軸部材１９が左右方向へずれないように固定されている。人工竹１５は、筒状に構成された部分を有し、軸部材１９の両端部及びストッパー２１は、筒状に構成された部分の内周側にある空洞２９の内部に配置されている。なお、軸部材１９は、図１に示すように、二箇所に設けられている。
【００３２】
支持体５と複数の素竹３との間に構成された内部空間１１には、包装体３１に収容されたシリカゲル３３が設けられている。包装体３１は、透湿性のある素材（例えば、不織布。）によって構成されている。包装体３１は、図４に示すように、化粧面９と略平行な面に沿って配列される複数の収容室３５を有し、各収容室３５にシリカゲル３３が収容されている。内部空間１１には、図５に示すように、包装体３１に重ねて割竹７が収容される。なお、図４及び図５においては、包装体３１及び割竹７を図示する都合上、基部１７よりも図中でいう前方にある構成（例えば素竹３や人工竹１５等。）の図示を省略してある。
【００３３】
以上のように構成された化粧壁材１によれば、複数の素竹３によって化粧面９が構成されているので、竹特有の素の美しさを呈する化粧面９を構成することができ、そのような化粧面９を有する壁材として使用することができる。また、割竹７には、縦割り加工によって形成された断面があり、その断面には無数の細孔が存在する。そのため、割竹７は、周囲の湿度に応じて湿気を吸収したり放出したりするので、調湿効果を期待することができる。さらに、割竹７の表面に存在する無数の細孔には、臭いの原因物質や有害物質などが吸着されるので、空気清浄効果が発揮される。加えて、化粧壁材１を製造する際には、上述のような素竹３及び割竹７が利用されるので、竹林の有効利用を図ることができ、自然環境の保全に貢献する効果がある。
【００３４】
また、素竹３は人工物ではないので、素竹３の強度にはある程度のばらつきがあるが、上述のような支持体５で素竹３を支持しているので、化粧壁材１全体としての適正な強度を確保できる。また、素竹３は、人工物ではないので、素竹３の寸法（例えば太さ。）や形状（例えば曲がり具合。）にはある程度のばらつきがあるが、本実施形態の場合、人工竹１５を両端に配置して、その間に素竹３が配置されている。そのため、素竹３自体の寸法安定性がいくらか低くても、両端にある人工竹１５間の寸法は設計通りの寸法にすることができ、化粧壁材１全体としては寸法安定性の高い製品とすることができる。
【００３５】
また、本実施形態の場合、ナットをストッパー２１として利用しているので、専用設計のストッパー２１を使わなくても、汎用のナットで所期のストッパー２１を構成することができ、化粧壁材１をより容易に製造することができる。また、軸部材１９が金属軸とされているので、木製やプラスチック製の軸部材１９を採用した場合に比べ、支持体５の強度を向上させることができる。
【００３６】
また、本実施形態の場合、軸部材１９の両端部及びストッパー２１が上述のような空洞２９の内部に配置されているので、化粧壁材１の外観を見映えのよいものにすることができ、軸部材１９の両端部及びストッパー２１に外部の物体が引っ掛かるのを抑制することができる。
【００３７】
また、本実施形態の場合、基部１７の構造が、横臥材２３及び垂直材２５を下地板２７に固定することによって構成された簡素な構造になっているので、基部１７を容易に製造でき、化粧壁材１を容易に製造することができる。
【００３８】
また、本実施形態の場合、下地板２７が耐火ボードによって構成されているので、下地板２７に不燃性及び耐火性を付与することができ、化粧壁材１の不燃性及び耐火性を向上させることができる。
【００３９】
また、本本実施形態の場合、シリカゲル３３によって化粧壁材１の吸湿性ないしは調湿性を増強することができる。特に、シリカゲル３３は上述のような包装体３１に収容されているので、壁面を構成するために化粧壁材１が立てられた場合でも、シリカゲル３３を化粧壁材１の下端側へ落下させることなく、各収容室３５が設けられた位置において保持することができる。
【００４０】
［他の実施形態］
以上、化粧壁材について、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００４１】
例えば、上記実施形態では、プラスチック製の人工竹１５を例示したが、人工竹は、他の材料で構成されていてもよい。例えば、金属パイプに樹脂コーティングを施した構造の人工竹であってもよい。
【００４２】
また、上記実施形態では、軸部材１９は、金属軸とされていたが、必要な強度を確保できれば、軸部材は、木製やプラスチック製であってもよい。あるいは、繊維強化プラスチック等の複合材料製であってもよい。また、ストッパー２１は、ナットで構成されていたが、軸部材の形態に応じて同等の機能を発揮できれば、ナットとは異なる形態のものをストッパーとして採用してもよい。
【符号の説明】
【００４３】
１…化粧壁材、３…素竹、５…支持体、７…割竹、９…化粧面、１１…内部空間、１５…人工竹、１７…基部、１９…軸部材、２１…ストッパー、２３…横臥材、２５…垂直材、２７…下地板、２９…空洞、３１…包装体、３３…シリカゲル、３５…収容室。
【図２】
0003204194.tif 000003
【図３】
0003204194.tif 000004
【図４】
0003204194.tif 000005
【図５】
0003204194.tif 000006
【図１】
0003204194.tif 000007